(57)【要約】 【課題】  ストップランプへの注意を惹き付けて安全性の向上を図る。【解決手段】  テールランプ５とストップランプ６ａとテールランプの点灯時に点灯する補助ランプ６ｂとを設け、補助ランプをストップランプの近傍に配置し、ストップランプと補助ランプの光源としてそれぞれ複数の発光ダイオード９、９、・・・１０、１０、・・・を用い、補助ランプの光源の発光色をストップランプの光源の発光色と異なるようにし、ストップランプの発光ダイオードと補助ランプの発光ダイオードとをそれぞれ点在させて配置した。【選択図】        図２
2010262888.tif 000002
【特許請求の範囲】
【請求項１】
テールランプとストップランプを備えた車輌用灯具であって、
前記テールランプの点灯時に点灯する補助ランプを備え、
前記補助ランプを前記ストップランプの近傍に配置し、
前記ストップランプと前記補助ランプの光源としてそれぞれ複数の発光ダイオードを用い、
前記補助ランプの光源の発光色を前記ストップランプの光源の発光色と異なるようにし、
前記ストップランプの発光ダイオードと前記補助ランプの発光ダイオードとをそれぞれ点在させて配置した
ことを特徴とする車輌用灯具。
【請求項２】
前記ストップランプの発光ダイオードと前記補助ランプの発光ダイオードとを同一の領域に混在させて配置した
ことを特徴とする請求項１に記載の車輌用灯具。
【請求項３】
前記補助ランプを、点灯時に所定のイメージを連想するように配置した
ことを特徴とする請求項１又は請求項２に記載の車輌用灯具。
【発明の詳細な説明】
【技術分野】
【０００１】
本発明は車輌用灯具に関する。詳しくは、テールランプと同時に点灯しストップランプの近傍に配置される補助ランプを設けてストップランプへの注意を惹き付けて安全性の向上を図る技術分野に関する。
【背景技術】
【０００２】
車輌用灯具には、例えば、カバーとランプボデイによって構成された灯具外筐の内部に、テールランプやストップランプが配置された所謂リアコンビネーションランプがある（例えば、特許文献１参照）。
【０００３】
【特許文献１】特開２００２−１３３９１５号公報
【発明の開示】
【発明が解決しようとする課題】
【０００４】
上記したようにリアコンビネーションランプにあっては、ブレーキ操作を行ったときに点灯されるストップランプが配置されているため、安全性の向上を図るためには、後続の車輌の運転者が注意散漫とならずストップランプが点灯したことを見落とすことがないようにする必要がある。
【０００５】
そこで、本発明車輌用灯具は、ストップランプへの注意を惹き付けて安全性の向上を図ることを課題とする。
【課題を解決するための手段】
【０００６】
車輌用灯具は、上記した課題を解決するために、テールランプの点灯時に点灯する補助ランプを設け、前記補助ランプをストップランプの近傍に配置し、前記ストップランプと前記補助ランプの光源としてそれぞれ複数の発光ダイオードを用い、前記補助ランプの光源の発光色を前記ストップランプの光源の発光色と異なるようにし、前記ストップランプの発光ダイオードと前記補助ランプの発光ダイオードとをそれぞれ点在させて配置したものである。
【０００７】
従って、車輌用灯具にあっては、テールランプの点灯時に補助ランプが点灯して後続の車輌の運転者に補助ランプの点灯状態が認識される。
【発明の効果】
【０００８】
本発明車輌用灯具は、テールランプとストップランプを備えた車輌用灯具であって、前記テールランプの点灯時に点灯する補助ランプを備え、前記補助ランプを前記ストップランプの近傍に配置し、前記ストップランプと前記補助ランプの光源としてそれぞれ複数の発光ダイオードを用い、前記補助ランプの光源の発光色を前記ストップランプの光源の発光色と異なるようにし、前記ストップランプの発光ダイオードと前記補助ランプの発光ダイオードとをそれぞれ点在させて配置したことを特徴とする。
【０００９】
従って、後続の車輌の運転者が補助ランプに注目してストップランプに注意を惹き付けられるため、ストップランプが点灯したことを見落とし難く、安全性の向上を図ることができる。
【００１０】
請求項２に記載した発明にあっては、前記ストップランプの発光ダイオードと前記補助ランプの発光ダイオードとを同一の領域に混在させて配置したので、発光ダイオードの配置スペースを小さくすることができ、車輌用灯具の小型化を図ることができると共に後続の車輌の運転者のストップランプへの注目度を高めることができる。
【００１１】
請求項３に記載した発明にあっては、前記補助ランプを、点灯時に所定のイメージを連想するように配置したので、後続の車輌の運転者に意外性が認識され、補助ランプへの注目度が高まりストップランプに一層注意が惹き付けられ、一層の安全性の向上を図ることができる。
【発明を実施するための最良の形態】
【００１２】
以下に、本発明車輌用灯具を実施するための最良の形態について添付図面を参照して説明する。
【００１３】
車輌用灯具１は、車体の後端部における左右両端部に取り付けられて配置され、複数の機能を有するランプが配置された所謂リアコンビネーションランプである。
【００１４】
車輌用灯具１は、後方に開口された凹部を有するランプハウジング２と該ランプハウジング２の開口面を閉塞する透明なカバー３とを備え、ランプハウジング２とカバー３によって灯具外筐４が構成されている（図１参照）。
【００１５】
ランプハウジング２には上下に離隔してユニット配置部２ａ、２ｂが設けられ、該ユニット配置部２ａ、２ｂはそれぞれ前方に開口された容器状に形成されている。
【００１６】
灯具外筐４の内部には上下に離隔してテールランプ５と複合ランプ６が配置されている。テールランプ５は図示しないヘッドランプの点消灯に伴って点消灯され、夜間において、後続の車輌の運転者に、その前方に車両が存在することを周知させる標識灯の機能等を有する。テールランプ５はユニット配置部２ａに図示しない光源を有する光源ユニットが配置されて成る。テールランプ５の光源としては、白熱灯や発光ダイオード等の各種の光源が用いられる。
【００１７】
複合ランプ６はブレーキ操作に伴って点灯するストップランプ６ａとテールランプ５の点灯時に点灯する補助ランプ６ｂとが複合されたランプである。複合ランプ６はユニット配置部２ｂに光源ユニット７が配置されて成る（図２参照）。光源ユニット７は回路基板８と該回路基板８の後面に搭載され光源として用いられた複数の発光ダイオード９、９、・・・、１０、１０、・・・とを有している。
【００１８】
発光ダイオード９、９、・・・はストップランプ６ａ用の光源であり、回路基板８に、例えば、規則的に点在して配置されている。発光ダイオード９、９・・・は赤色の発光色とされている。
【００１９】
発光ダイオード１０、１０、・・・は補助ランプ６ｂ用の光源であり、所定のイメージを連想させる表示となるように又は規則的に回路基板８に点在して配置されている。発光ダイオード１０、１０・・・は、発光ダイオード９、９、・・・の発光色とは異なり、例えば、青色、緑色、黄色、白色等の発光色とされている。
【００２０】
発光ダイオード９、９、・・・と発光ダイオード１０、１０、・・・は、上記したように、一つの回路基板８において同一の領域に混在して配置されており、発光ダイオード９、９、・・・の発光輝度が発光ダイオード１０、１０、・・・の発光輝度より高くされている。従って、発光ダイオード１０、１０、・・・のみが点灯している場合には、図３に示すように、発光ダイオード１０、１０、・・・による補助ランプ６ｂとしての点灯状態が後続の車輌の運転者に視認されるが、発光ダイオード１０、１０、・・・と共に発光ダイオード９、９、・・・が点灯された場合には、図４に示すように、後続の車輌の運転者が発光ダイオード１０、１０、・・・による点灯状態を視認することができず、発光ダイオード９、９、・・・によるストップランプ６ａとしてのみの点灯状態が視認される。
【００２１】
所定のイメージを連想させる表示となるような発光ダイオード１０、１０、・・・の回路基板８に対する配置状態は、例えば、ハートマーク（図３参照）、各種のキャラクター、人や動物や建物等の各種の形状を認識することが可能であると共に後続の車輌の運転者が注意を惹き付けられるイメージを表示するものであれば任意に設定することができる。
【００２２】
上記のように構成された車輌用灯具１にあっては、ヘッドランプが点灯されると同時にテールランプ５及び複合ランプ６の補助ランプ６ｂが点灯され、ストップランプ６ａは点灯されない。また、テールランプ５及び補助ランプ６ｂが点灯されている状態においてブレーキ操作が行われると、ストップランプ６ａも点灯され、テールランプ５の点灯状態とストップランプ６ａの点灯状態のみが後続の車輌の運転者に視認される。
【００２３】
一方、テールランプ５及び補助ランプ６ｂが消灯されている状態においてブレーキ操作が行われると、ストップランプ６ａのみが点灯する。
【００２４】
尚、上記には、一つの回路基板８に発光ダイオード９、９、・・・と発光ダイオード１０、１０、・・・を配置する例を示したが、発光ダイオード９、９、・・・と発光ダイオード１０、１０、・・・を各別の回路基板にそれぞれ配置してもよい。この場合には、各回路基板を前後に重ねて配置し、前側の回路基板に配置された発光ダイオードから出射される光を透過するための透過孔を、後側に配置された回路基板に形成すればよい。
【００２５】
また、発光ダイオード１０、１０、・・・を規則的に配置する場合には、灯具外筐４の内部における発光ダイオード９、９、・・・、１０、１０、・・・の直ぐ後側にインナーレンズを配置し、該インナーレンズに発光ダイオード１０、１０、・・・から出射された光が拡散されるシボ加工やレンズステップが形成された拡散部を設けてもよい。このようにインナーレンズに拡散部を設けることにより、発光ダイオード１０、１０、・・・から出射された光を拡散させて面発光させることが可能である。
【００２６】
さらに、インナーレンズを配置した場合には、インナーレンズを介して発光ダイオード９、９、・・・、１０、１０、・・・や回路基板の存在を目立ち難くするために、回路基板の表面（後面）を白色にすることも可能である。
【００２７】
一方、インナーレンズを配置しない場合には、回路基板の表面（後面）を黒色にすることにより、非点灯時において発光ダイオード及び回路基板の存在を目立ち難くすることが可能である。
【００２８】
また、回路基板の表面を黒色とする共にユニット配置部２ｂの内周面も黒色にすることにより、発光ダイオード１０、１０、・・・が点灯したときに、その表示（イメージ）が浮き上がっているように視認され、後続の車輌の運転者に意外性を認識させることが可能である。
【００２９】
以上に記載した通り、車輌用灯具１にあっては、テールランプ５の点灯時に点灯しストップランプ６ａの近傍に配置された補助ランプ６ｂを設けている。従って、後続の車輌の運転者が補助ランプ６ｂに注目してストップランプ６ａに注意を惹き付けられるため、ストップランプ６ａが点灯したことを見落とし難く、安全性の向上を図ることができる。
【００３０】
また、複合ランプ６において、ストップランプ６ａの発光ダイオード９、９、・・・と補助ランプ６ｂの発光ダイオード１０、１０、・・・とを同一の領域に混在させて配置しているため、発光ダイオード９、９、・・・、１０、１０、・・・の配置スペースを小さくすることができ、車輌用灯具１の小型化を図ることができると共に後続の車輌の運転者のストップランプ６ａへの注目度を高めることができる。
【００３１】
さらに、補助ランプ６ｂの発光ダイオード１０、１０、・・・が点灯時に所定のイメージを連想するように配置されることにより、後続の車輌の運転者に意外性が認識され、補助ランプ６ｂへの注目度が高まりストップランプ６ａに一層注意が惹き付けられ、一層の安全性の向上を図ることができる。
【００３２】
尚、上記には、ストップランプ６ａと補助ランプ６ｂを複合ランプ６として設けた例を示したが、ストップランプ６ａと補助ランプ６ｂを各別のランプとして隣接して配置することも可能である。
【００３３】
また、上記には、補助ランプ６ｂの発光ダイオード１０、１０、・・・がテールランプ５の点灯に伴って点灯する例を示したが、例えば、補助ランプ６ｂの発光ダイオード１０、１０、・・・がテールランプ５の点灯に伴って点滅するように構成することも可能である。
【００３４】
上記した発明を実施するための最良の形態において示した各部の形状及び構造は、何れも本発明を実施するに際して行う具体化のほんの一例を示したものにすぎず、これらによって本発明の技術的範囲が限定的に解釈されることがあってはならないものである。
【図面の簡単な説明】
【００３５】
【図１】図２乃至図４と共に本発明車輌用灯具の最良の形態を示すものであり、本図は、車輌用灯具の概略斜視図である。
【図２】光源ユニットを示す背面図である。
【図３】補助ランプとして点灯された状態を示す概念図である。
【図４】ストップランプとして点灯された状態を示す概念図である。
【符号の説明】
【００３６】
１…車輌用灯具、５…テールランプ、６ａ…ストップランプ、６ｂ…補助ランプ、９…発光ダイオード、１０…発光ダイオード
【図１】
2010262888.tif 000003
【図２】
2010262888.tif 000004
【図３】
2010262888.tif 000005
【図４】
2010262888.tif 000006